【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
ディスク状記録媒体の中央孔から先端面が突出して嵌入する保持部と、ディスク状記録媒体の側面を覆う側壁部とを備え、該側壁部におけるディスク状記録媒体との対向面の裏側の外面中央部及び上記保持部の先端面を強磁性体物品に磁気吸着力により取り付けるディスク状記録媒体保持具において、上記磁気吸着力は上記保持部内に装着された磁石部材によって確保することを特徴とするディスク状記録媒体保持具
【請求項２】
上記保持部内に装着される磁石部材は、ディスク状記録媒体の側面を覆う側壁部材とその中央部に取り付けられる蓋部材との間に形成される磁石部材収納部に収納されることを特徴とする請求項１に記載のディスク状記録媒体保持具
【請求項３】
上記保持部は、上記側壁部材の略中央部に上記磁石部材収納部を形成すべく磁石部材の外周を覆った状態で立設する蓋部材取り付け壁へ取り付けられる蓋部材で構成されることを特徴とする請求項２に記載のディスク状記録媒体
【請求項４】
上記保持部は、上記側壁部を形成する側壁部材の中央部を突出させて一体的に設けられ、該保持部内面に形成された磁石部材収納部の開放面には蓋部材が取り付けられることを特徴とする請求項２に記載のディスク状記録媒体保持具
【請求項５】
ディスク状記録媒体の中央孔から先端面が突出して嵌入する保持部と、ディスク状記録媒体の側面を覆う側壁部とを備え、該側壁部におけるディスク状記録媒体との対向面の裏側の外面中央部及び上記保持部の先端面を強磁性体物品に磁気吸着力により取り付けるディスク状記録媒体保持具であって、上記磁気吸着力を生じせしめる磁石部材を、その表面を覆うことなく側壁部材に接着にて取り付けるように形成したことを特徴とするディスク状記録媒体保持具
【請求項６】
上記保持部の外周部には少なくとも一つの弾性舌片が形成され、該弾性舌片にディスク状記録媒体の中央孔を着脱自在に取り付け可能としたことを特徴とする請求項１または２に記載のディスク状記録媒体保持具
【請求項７】
上記弾性舌片は、保持部を形成する蓋部材における周囲を窪ませて形成した舌片収納部の下端から、断面が略Ｌ字状に空間部分を介在させて一体的に立ち上げて形成したことを特徴とする請求項６に記載のディスク状記録媒体保持具
【請求項８】
上記弾性舌片は、保持部を形成する蓋部材の周囲から窪ませて設けられた舌片収納部内に位置するように、側壁部材から一体的に突出させて形成したことを特徴とする請求項６に記載のディスク状記録媒体保持具
【請求項９】
上記弾性舌片は、側壁部材の中央部を突出させて一体的に設けられた保持部における周囲から窪ませて設けられた舌片収納部内へ、その上部に形成された舌片貫通用穴を貫通して位置するように、蓋部材の下面から突出させて形成したことを特徴とする請求項６に記載のディスク状記録媒体保持具
【請求項１０】
上記磁石部材は、磁石単独或は強磁性体製のヨーク部材を備えた磁石からなることを特徴とする請求項１〜９のいずれか１項に記載のディスク状記録媒体保持具
【請求項１１】
ディスク状記録媒体の中央孔から先端面が突出して嵌入する保持部と、ディスク状記録媒体の側面を覆う側壁部とを備え、該側壁部におけるディスク状記録媒体との対向面の裏側の外面中央部及び上記保持部の先端面を強磁性体物品に磁気吸着力により取り付けるディスク状記録媒体保持具において、上記側壁部の外周には少なくとも一箇所の指掛け用切り欠き部が形成されていることを特徴とするディスク状記録媒体保持具
【請求項１２】
上記指掛け用切り欠き部は、上記請求項１〜１０における側壁部の外周に設けられることを特徴とする請求項１１に記載のディスク状記録媒体保持具
【手続補正２】
【補正対象書類名】明細書
【補正対象項目名】０００７
【補正方法】変更
【補正の内容】
【０００７】
本発明は、ディスク状記録媒体の中央孔から先端面が突出して嵌入する保持部と、ディスク状記録媒体の側面を覆う側壁部とを備え、側壁部におけるディスク状記録媒体との対向面の裏側の外面中央部及び保持部の先端面を強磁性体物品に磁気吸着力により取り付けるディスク状記録媒体保持具において、磁気吸着力は保持部内に装着された磁石部材によって確保するディスク状記録媒体保持具とすることで実現できる。
この構成によれば、磁石がディスク状記録媒体保持具内に収容されるために小型化し、生産コストを減少させることができると共に、ディスク状記録媒体保持具自体を自由な形状にデザインすることができる利点がある。
なお、保持部内に装着される磁石部材は、ディスク状記録媒体の側面を覆う側壁部材とその中央部に取り付けられる蓋部材との間に形成される磁石部材収納部に収納されるようにすればよい。
【手続補正３】
【補正対象書類名】明細書
【補正対象項目名】０００８
【補正方法】変更
【補正の内容】
【０００８】
より具体的には、保持部は、側壁部材の略中央部に磁石部材収納部を形成すべく磁石部材の外周を覆った状態で立設する蓋部材取り付け壁へ取り付けられる蓋部材で構成することで実施することができる。
【手続補正４】
【補正対象書類名】明細書
【補正対象項目名】００１０
【補正方法】変更
【補正の内容】
【００１０】
なお、ディスク状記録媒体の中央孔から先端面が突出して嵌入する保持部と、ディスク状記録媒体の側面を覆う側壁部とを備え、側壁部におけるディスク状記録媒体との対向面の裏側の外面中央部及び保持部の先端面を強磁性体物品に磁気吸着力により取り付けるディスク状記録媒体保持具であって、磁気吸着力を生じせしめる磁石部材を、その表面を覆うことなく側壁部材に接着にて取り付ける構成としてもよく、この場合は蓋部材を省略することができる利点が生じる。
【手続補正５】
【補正対象書類名】明細書
【補正対象項目名】００１２
【補正方法】変更
【補正の内容】
【００１２】
この弾性舌片は、保持部を形成する蓋部材における周囲を窪ませて形成した舌片収納部の下端から、断面が略Ｌ字状に空間部分を介在させて一体的に立ち上げて形成するとよい。
【手続補正６】
【補正対象書類名】明細書
【補正対象項目名】００１３
【補正方法】変更
【補正の内容】
【００１３】
また、弾性舌片は、保持部を形成する蓋部材の周囲から窪ませて設けられた舌片収納部内に位置するように、側壁部材から一体的に突出させて形成することもできる。
【手続補正７】
【補正対象書類名】明細書
【補正対象項目名】００１４
【補正方法】変更
【補正の内容】
【００１４】
さらに弾性舌片は、側壁部材の中央部を突出させて一体的に設けられた保持部における周囲から窪ませて設けられた舌片収納部内へ、その上部に形成された舌片貫通用穴を貫通して位置するように、側壁部材の保持部の内面に形成される磁石部材収納部の開放面に取り付けられる部材であるところの蓋部材の下面から突出させて形成することもできる。
【手続補正８】
【補正対象書類名】明細書
【補正対象項目名】００４９
【補正方法】変更
【補正の内容】
【００４９】
図９（ａ）〜図９（ｄ）に示すように、この実施例のディスク状記録媒体保持具６１も、側壁部材６２、磁石部材６３、蓋部材６４で構成される。
蓋部材６４は、外周を立ち上げて保持部６７が設けられ、その外周面には３箇所の凹部で形成される舌片収納部６７ｅ，６７ｅ，６７ｅが設けられており、そこへ上部に突部６７ｄ，６７ｄ，６７ｄを備えた弾性舌片６７ｃ，６７ｃ，６７ｃが、空間部分６７ｆ，６７ｆ，６７ｆを介して先端面６４ｃ側を開放するように各舌片収納部６７ｅの下端から、図９（ｄ）に示すように若干浮かした位置から、断面が略Ｌ字状で一体的に立ち上げる形体で設けられている。
なお、各弾性舌片６７ｃ，６７ｃ，６７ｃ間で形成される突部６７ｄ，６７ｄ，６７ｄの外径はディスク状記録媒体の中央孔より大きくなっており、その根元の径はディスク状記録媒体の中央孔と同等か若干小さく形成される。
また、蓋部材６４の各舌片収納部６７ｅ，６７ｅ，６７ｅの内面には磁石部材収納部６９が形成される。
【手続補正９】
【補正対象書類名】明細書
【補正対象項目名】００５９
【補正方法】変更
【補正の内容】
【００５９】
本発明においては、上述した実施例６〜実施例７に示した弾性舌片及び指掛け用切り欠き部の数や位置及び形状は、これらの実施例に限らず各種に変形して実施することができるものであり、代表的な形態について説明する。
図１３（ａ）は本発明の実施例９を表わす底面図であり、このディスク状記録媒体保持具９１の弾性舌片９２及び指掛け用切り欠き部９３は各々３箇所を同一角度方向とし、円周上均等に設けたものである。
以下、図１３（ｂ）〜図１３（ｅ）は他の変形を、実施例９の変形例として示したものであり、図１３（ｂ）に示す変形例１では、実施例９における指掛け用切り欠き部の形状を直線状の９３ｂに形成している。
また、図１３（ｃ）に示す変形例２では、弾性舌片９２ｃを４箇所とし指掛け用切り欠き部９３ｃを２箇所設けている。
また、図１３（ｄ）に示す変形例３では、弾性舌片９２ｄを２箇所とし指掛け用切り欠き部９３ｄを２箇所設けている。
また、図１３（ｅ）に示す変形例４では、弾性舌片９２ｅ及び指掛け用切り欠き部９３ｅを各々１箇としている。